(57)【要約】【課題】接着力を確保しつつ、外観を良好とする水槽の天板への取付構造を提供する。【解決手段】水槽の天板への取付構造は、開口部２１が形成された天板２と、開口部２１に配置された水槽本体３０と、水槽本体３０から外方に延出し天板２の下面２ｄに沿って配置されたフランジ部４０と、を有する水槽３と、フランジ部４０の上面４０ｕと天板２の下面２ｄとの間に接着剤が充填されて形成された接着層５０と、を備え、フランジ部４０の上面４０ｕには、下方に凹む凹部４１及び上方に突出する凸部４２が形成され、接着層は、凹部４１及び凸部４２を跨ぐ領域に形成されていることを特徴とする。【選択図】図２
2019111173.tif 000002
【特許請求の範囲】
【請求項１】
開口部が形成された天板と、
前記開口部に配置された水槽本体と、該水槽本体から外方に延出し前記天板の下面に沿って配置されたフランジ部と、を有する水槽と、
前記フランジ部の上面と前記天板の下面との間に接着剤が充填されて形成された接着層と、を備え、
前記フランジ部の上面には、下方に凹む凹部及び上方に突出する凸部が形成され、
前記接着層は、前記凹部及び前記凸部を跨ぐ領域に形成されていることを特徴とする水槽の天板への取付構造。
【請求項２】
前記凹部は、平面視で、前記凸部よりも前記水槽本体側に形成されている請求項１に記載の水槽の天板への取付構造。
【請求項３】
前記凹部は、前記水槽本体の外縁に沿って全周に形成されている請求項１または２に記載の水槽の天板への取付構造。
【発明の詳細な説明】
【技術分野】
【０００１】
本発明は、水槽の天板への取付構造に関するものである。
【背景技術】
【０００２】
従来から、キッチンに設置されるシンク等の水槽は、カウンター等の天板にシリコン等の接着剤で固定されている。塗布された接着剤で形成される接着層の高さを確保するために、シンクのフランジ部の上面に所定の高さを有する目地材が設けられたり、フランジ部に上方に突出する突起が設けられたりしたものが提案されている（下記の特許文献１，２参照）。
【先行技術文献】
【特許文献】
【０００３】
【特許文献１】特開昭６３−２６８８２８号公報
【特許文献２】特開２００６−２９１６１０号公報
【発明の概要】
【発明が解決しようとする課題】
【０００４】
しかしながら、シンクのフランジ部と天板との間の接着層の端面は水に晒されやすく水が浸入しやすいため、フランジ部が天板に適切に接着されることが望まれている。一方、接着層の厚みを厚くして接着力を強くすれば、使用者から接着層が目立ってしまい見栄えが劣るという問題点がある。
【０００５】
そこで、本発明は、上記事情に鑑みてなされたものであり、接着力を確保しつつ、外観を良好とする水槽の天板への取付構造を提供する。
【課題を解決するための手段】
【０００６】
上記目的を達成するために、本発明は以下の手段を採用している。
すなわち、本発明に係る水槽の天板への取付構造は、開口部が形成された天板と、前記開口部に配置された水槽本体と、該水槽本体から外方に延出し前記天板の下面に沿って配置されたフランジ部と、を有する水槽と、前記フランジ部の上面と前記天板の下面との間に接着剤が充填されて形成された接着層と、を備え、前記フランジ部の上面には、下方に凹む凹部及び上方に突出する凸部が形成され、前記接着層は、前記凹部及び前記凸部を跨ぐ領域に形成されていることを特徴とする。
【０００７】
このように構成された水槽の天板への取付構造では、フランジ部の上面には上方に突出する凸部が形成されているため、フランジ部の上面と天板の下面との間に形成された接着層の厚さを確保することができる。また、フランジ部の上面に形成された下方に凹む凹部には接着剤が充填されているため、凹部では接着層の厚さが他の箇所より部分的に厚くなっている。よって、凸部で接着層の厚さが確保されつつ、凹部で接着層の厚さが一層厚くなっているため、接着力を確保することができる。
また、従来の凹部が設けられていないものよりも接着層の厚さを薄くしても、本発明では凹部内に接着剤が充填されているため、接着力が確保される。よって、接着層の厚さを薄くすることができるため、見えがかりが薄くなり、外観を良好とすることができる。
【０００８】
また、本発明に係る水槽の天板への取付構造では、前記凹部は、平面視で、前記凸部よりも前記水槽本体側に形成されていることが好ましい。
【０００９】
このように構成された水槽の天板への取付構造では、凹部は平面視で凸部よりも水槽本体側に形成されているため、水に晒されやすい水槽本体側で確実に接着力を高めて、天板とフランジ部との間からの水の浸入を抑制することができる。
【００１０】
また、本発明に係る水槽の天板への取付構造では、前記凹部は、前記水槽本体の外縁に沿って全周に形成されていてもよい。
【００１１】
このように構成された水槽の天板への取付構造では、凹部は水槽本体の外縁に沿って全周に形成されているため、水槽本体の外縁の全周にわたって接着力を高めることができる。
【発明の効果】
【００１２】
本発明に係る水槽の天板への取付構造によれば、接着力を確保しつつ、外観を良好とすることができる。
【図面の簡単な説明】
【００１３】
【図１】本発明の一実施形態に係る水槽の天板への取付構造を備えたキッチンユニットを示す斜視図である。
【図２】図１のＡ−Ａ線断面図である。
【図３】本発明の一実施形態に係る水槽の天板への取付構造で取り付けられた水槽を斜め上方から見た斜視図である。
【発明を実施するための形態】
【００１４】
以下、本発明の一実施形態に係るキッチンユニットについて、図１から図３に基づいて説明する。
図１は、本発明の一実施形態に係る水槽の天板への取付構造を示す斜視図である。
図１に示すように、水槽の天板への取付構造を備えたキッチンユニット１００は、支持体となるキッチンキャビネット１と、キッチンキャビネット１上に設けられた天板２と、天板２に取り付けられたシンク（水槽）３と、を備える。
【００１５】
以下の説明において、キッチンユニット１００を使用する使用者がシンク３と向き合ったときの左右方向を幅方向と称する。キッチンユニット１００が設置される床面に直交する方向を上下方向と適宜称する。また、幅方向及び上下方向と直交する方向を奥行方向と称し、使用者側を手前側、反対側を奥側と称する。また、平面視で、シンク３の中心側を内側、シンク３の中心側と反対側を外側と称する。
【００１６】
キッチンユニット１００には、抽斗、棚板、扉等を備える収納部１１や加熱器具（図示省略）が適宜設けられる。
【００１７】
天板２は、平板状に形成され、板厚方向を上下方向に向けて配置されている。天板２には、シンク３を取り付けるための取付開口部（開口部）２１が形成されている。天板２は、セラミック、人造大理石、ステンレス等の材料から形成されている。
【００１８】
図２は、図１のＡ−Ａ線断面図である。
図２に示すように、天板２の取付開口部２１の下端部には、傾斜面２２が形成されている。本実施形態では、傾斜面２２はいわゆるＣ面取りである。
【００１９】
図３は、シンク３を斜め上方から見た斜視図である。
図３に示すように、シンク３は、上方に開口した凹形状をなすシンク本体（水槽本体）３０と、シンク本体３０の外縁部３０ａから外方に延出したフランジ部４０と、を有する。図２に示すように、シンク本体３０は、天板２の取付開口部２１に配置されている。フランジ部４０は、天板２の下面２ｄに沿って配置されている。
【００２０】
図３に示すように、シンク本体３０は、底部３１と、底部３１の外縁部に立設された側壁３２，３３，３４，３５と、底部３１に形成された排水口３６と、底部３１の上面よりも下方に窪み排水口３６に排水を誘導する誘導溝３７と、を有している。
【００２１】
シンク３は、人造大理石、ステンレス等からなり一体成形されている。シンク本体３０は、底部３１及び側壁３２，３３，３４，３５により、ボウル状の凹部が形成されている。本実施形態では、底部３１が平面視において幅方向に長い略長方形である例を示す。
【００２２】
フランジ部４０は、シンク本体３０の外縁部（側壁３２，３３，３４，３５の上端部）３０ａから外方に向かって水平方向に延びるように連続して設けられている。フランジ部４０は、平面視略矩形の枠形状をなしている。
【００２３】
フランジ部４０の上面４０ｕには、下方に凹む凹溝４１が形成されている。凹溝４１は、シンク本体３０の外縁部３０ａに沿って全周に形成されている。
【００２４】
図２に示すように、凹溝４１は、奥行方向（または幅方向）及び上下方向に沿う断面で、円弧状をなす曲面で形成されている。
【００２５】
図３に示すように、フランジ部４０の上面４０ｕには、上方に突出する凸部４２が形成されている。凸部４２は、平面視で凹溝４１よりも外側に配置されている。
【００２６】
凸部４２は、シンク本体３０の外縁部３０ａに沿って間隔を有して複数形成されている。各凸部４２は、平面視で、シンク本体３０の外縁部３０ａに沿う方向に長い形状をなしている。図２に示すように、凸部４２は、奥行方向（または幅方向）及び上下方向に沿う断面で、円弧状をなす曲面で形成されている。本実施形態では、凹溝４１及び凸部４２は、シンク本体３０及びフランジ部４０とともに一体成形で成型されている。
【００２７】
次に、シンク３の天板２への取付構造について説明する。
図２に示すように、天板２の下面２ｄとシンク３のフランジ部４０の上面４０ｕとの間には、シリコン等の接着剤が充填されて形成された接着層５０が形成されている。接着層５０は、凹溝４１及び凸部４２を跨ぐ領域Ｒに形成されている。本実施形態では、平面視で接着層５０の内側（領域Ｒの内側）は、天板２の取付開口部２１に達している。また、平面視で接着層５０の外側（領域Ｒの外側）は、フランジ部４０よりも外方まで設けられ、フランジ部４０の外縁部４０ａと後述する裏打ち材６１との間を充填している。接着層５０は、フランジ部４０の凹溝４１の内部にも設けられている。フランジ部４０の凸部４２は天板２の下面２ｄに当接しており、フランジ部４０の凸部４２の上方には接着層５０は設けられていない。
【００２８】
天板２の下面２ｄには、木製の板等で形成された裏打ち材６１が設けられている。裏打ち材６１は、シンク３の外方に配置されている。
【００２９】
裏打ち材６１の下方には、固定部材６３が設けられている。固定部材６３は、裏打ち材６１の下面に沿って配置されるスペーサー６４と、スペーサー６４に設けられた押え金具６５と、を有している。固定部材６３は、フランジ部４０の外縁部４０ａに沿って間隔を有して複数設けられている。
【００３０】
押え金具６５は、スペーサー６４の下面及び側面に沿って配置される固定部６６と、固定部６６から延び先端部６７ａがシンク３のフランジ部４０の下面４０ｄに当接配置された押え部６７と、を有している。固定部６６及びスペーサー６４を貫通する螺子６８が、裏打ち材６１に螺合されている。これにより、フランジ部４０は、押え部６７から上方に押圧された状態で、天板２の下面２ｄに接着層５０により接着されている。フランジ部４０の下方には、ウレタン等の充填材７０が充填されている。
【００３１】
次に、上記のシンク３を天板２に取り付ける取付方法について説明する。
まず、予め、天板２の下面２ｄに裏打ち材６１を取り付けておく。裏打ち材６１が取り付けられた天板２を上下反転させて、天板２の上面を組み立て作業面（不図示）上に設置する。
【００３２】
次に、天板２の面（キッチンユニット１００として設置した状態での下面）２ｄで裏打ち材６１が設けられていない部分（面２ｄが露出している部分）に、接着剤を塗布する。接着層５０にシンク３のフランジ部４０が載るように、天板２上にシンク３を載せる。
【００３３】
次に、裏打ち材６１にスペーサー６４を設置して、スペーサー６４に押え金具６５を設置する。押え金具６５の押え部６７の先端部６７ａが、シンク３のフランジ部４０に当接するようにしておく。この状態で、螺子６８を、押え金具６５の固定部６６及びスペーサー６４に挿通させて、裏打ち材６１に螺合させる。このように、押え金具６５でフランジ部４０を接着層５０側に押圧する。
【００３４】
次に、フランジ部４０に充填材７０を充填する。これにより、接着剤が硬化するまで位置ずれ等を防止される。
【００３５】
このように構成されたキッチンユニット１００では、フランジ部４０の上面４０ｕには上方に突出する凸部４２が形成されているため、フランジ部４０の上面４０ｕと天板２の下面２ｄとの間に形成された接着層５０の厚さを確保することができる。また、フランジ部４０の上面４０ｕに形成された下方に凹む凹溝４１には接着剤が充填されているため、凹溝４１では接着層５０の厚さが他の箇所より部分的に厚くなっている。よって、凸部４２で接着層５０の厚さが確保されつつ、凹溝４１で接着層５０の厚さが一層厚くなっているため、接着力を確保することができる。
【００３６】
また、従来の凹溝が設けられていないものよりも接着層５０の厚さを薄くしても、本発明では凹溝４１内に接着剤が充填されているため、接着力が確保される。よって、接着層５０の厚さを薄くすることができるため、見えがかりが薄くなり、外観を良好とすることができる。
【００３７】
また、凹溝４１は平面視で凸部４２よりもシンク本体３０側に形成されているため、水に晒されやすいシンク本体３０側で確実に接着力を高めて、天板２とフランジ部４０との間からの水の浸入を抑制することができる。
【００３８】
また、凹溝４１はシンク本体３０の外縁部３０ａに沿って全周に形成されているため、シンク本体３０の外縁部３０ａの全周にわたって接着力を高めることができる。
【００３９】
なお、上述した実施の形態において示した各構成部材の諸形状や組み合わせ等は一例であって、本発明の主旨から逸脱しない範囲において設計要求等に基づき種々変更可能である。
【００４０】
例えば、上記に示す実施形態では、凹溝４１はシンク本体３０の外縁部３０ａに沿って全周に形成されているが、本発明はこれに限られない。凹部は、シンク本体３０の外縁部３０ａに沿って間隔を有して複数形成される構成であってもよい。
【００４１】
また、上記に示す実施形態では、凹溝４１は、平面視で凸部４２よりも内側に配置されていて、これにより、水に晒されやすいシンク本体３０側で確実に接着力を高めることができるが、本発明はこれに限られない。凹部が、平面視で凸部よりも外側に配置されていてもよい。あるいは、凹部と凸部とは、シンク本体３０の外縁部３０ａに沿う同一の（環状をなす）線上に配置されていてもよい。フランジ部４０における凹部及び凸部の配置位置は、適宜選択可能である。
【符号の説明】
【００４２】
１…キッチンキャビネット
２…天板
３…シンク（水槽）
１１…収納部
２１…取付開口部（開口部）
２２…傾斜面
３０…シンク本体（水槽本体）
４０…フランジ部
４１…凹溝（凹部）
４２…凸部
５０…接着層
６１…裏打ち材
６３…固定部材
６５…押え金具
１００…キッチンユニット
【図１】
2019111173.tif 000003
【図２】
2019111173.tif 000004
【図３】
2019111173.tif 000005